(57)【要約】      （修正有）【課題】トレイ表面の形態をパズル感覚で変更して楽しむことができると共に、意匠性に優れたトレイを提供する。【解決手段】トレイ１は、軟質材からなり、表面に複数の凹部１１ａが形成されたトレイ本体１０と、硬質材からなり、複数の凹部１１ａに挿脱自在に挿着される小片部材２１、２２とを有する。凹部１１ａは、表面に格子状に立設形成されたリブ１３によって升目状に配列されている。小片部材２１、２２は、凹部１１ａに係合する直方体形状をなし、小片部材を凹部に挿着させると、小片部材の上端辺がリブ１３の上端辺と一致する。トレイ本体は、熱可塑性エラストマーで一体に形成されている。小片部材それぞれの表面は１色からなり、複数の小片部材の表面の色が２色以上の組み合わせであり、陶磁製のタイルで形成されている。【選択図】図１
0003185410.tif 000002
【実用新案登録請求の範囲】
【請求項１】
軟質材からなり、表面に複数の凹部が形成されたトレイ本体と、
硬質材からなり、前記複数の凹部に着脱自在に挿着される複数の小片部材と、を有することを特徴とするトレイ。
【請求項２】
前記凹部は、前記表面に格子状に立設形成されたリブによって升目状に配列されている請求項１に記載のトレイ。
【請求項３】
前記小片部材は、前記升目状の凹部に係合する直方体形状をなし、該小片部材を前記凹部に挿着させると、該小片部材の上端辺が前記リブの上端辺と一致する請求項２に記載のトレイ。
【請求項４】
前記トレイ本体は、軟質材で一体に形成されている請求項１乃至３のうちのいずれか１項に記載のトレイ。
【請求項５】
前記軟質材は熱可塑性エラストマーである請求項１乃至４のうちのいずれか１項に記載のトレイ。
【請求項６】
前記小片部材それぞれの表面は１色からなり、複数の小片部材の表面の色が２色以上の組み合わせである請求項１乃至５のうちのいずれか１項に記載のトレイ。
【請求項７】
前記小片部材は陶磁製のタイルである請求項１乃至６のうちのいずれか１項に記載のトレイ。
【請求項８】
前記トレイ本体の裏面には、該トレイ本体を起立させるための脚部材を挿着可能とする挿着穴を備えた請求項１乃至７のうちのいずれか１項に記載のトレイ。
【請求項９】
表面に格子状に立設形成されたリブによって升目状に配列された複数の凹部を有する底部と、該底部の周縁にめぐらした立上り縁とからなる熱可塑性エラストマー製のトレイ本体と、
前記複数の凹部に係合して着脱自在に挿着される複数の平面視矩形の直方体形状の陶磁製のタイルとを有し、
前記タイルそれぞれの表面は１色からなり、複数のタイルの表面の色が２色以上の組み合わせであり、
前記タイルを、前記凹部に挿着すると、該タイルの上端辺が前記リブの上端辺と一致し、
前記底部を表面側が凸状に反るように変形させて前記タイルを前記凹部から取り外し可能であり、
前記トレイ本体の裏面には、該トレイ本体を起立させるための脚部材を挿着可能とする挿着穴を備えたトレイ。
【考案の詳細な説明】
【技術分野】
【０００１】
本考案は、トレイに関する。更に詳しくは、トレイ表面の形態をパズル感覚で変更して楽しむことができると共に、意匠性に優れたトレイに関する。
【背景技術】
【０００２】
従来、トレイは、一般的に、小物を載置収納するために用いられる（例えば、特許文献１参照。）。
近年では、トレイは、小物を載置収納するという機能だけではなく、トレイの図柄に工夫を凝らした、デザイン性に優れた製品が多く生み出されている。
【先行技術文献】
【特許文献】
【０００３】
【特許文献１】実開平６−１６５号公報
【考案の概要】
【考案が解決しようとする課題】
【０００４】
しかしながら、一つのトレイ表面の図柄は一定であり、別の図柄のトレイが欲しい場合には、別個のトレイを求める必要がある。
本考案は、トレイ表面の形態をパズル感覚で変更して楽しむことができると共に、意匠性に優れたトレイを提供することを目的とする。
【課題を解決するための手段】
【０００５】
前記課題を解決するために本考案は、以下の通りである。
１．軟質材からなり、表面に複数の凹部が形成されたトレイ本体と、
硬質材からなり、前記複数の凹部に着脱自在に挿着される複数の小片部材と、を有することを特徴とするトレイ。
２．前記凹部は、前記表面に格子状に立設形成されたリブによって升目状に配列されている１．に記載のトレイ。
３．前記小片部材は、前記升目状の凹部に係合する直方体形状をなし、該小片部材を前記凹部に挿着させると、該小片部材の上端辺が前記リブの上端辺と一致する２．に記載のトレイ。
【０００６】
４．前記トレイ本体は、軟質材で一体に形成されている１．乃至３．のうちのいずれか１項に記載のトレイ。
５．前記軟質材は熱可塑性エラストマーである請求項１．乃至４．のうちのいずれか１項に記載のトレイ。
６．前記小片部材それぞれの表面は１色からなり、複数の小片部材の表面の色が２色以上の組み合わせである１．乃至５．のうちのいずれかに記載のトレイ。
７．前記小片部材は陶磁製のタイルである１．乃至６．のうちのいずれか１項に記載のトレイ。
【０００７】
８．前記トレイ本体の裏面には、該トレイ本体を起立させるための脚部材を挿着可能とする挿着穴を備えた１．乃至７．のうちのいずれか１項に記載のトレイ。
９．表面に格子状に立設形成されたリブによって升目状に配列された複数の凹部を有する底部と、該底部の周縁にめぐらした立上り縁とからなる熱可塑性エラストマー製のトレイ本体と、
前記複数の凹部に係合して挿脱自在に挿着される複数の平面視矩形の直方体形状の陶磁製のタイルとを有し、
前記タイルそれぞれの表面は１色からなり、複数のタイルの表面の色が２色以上の組み合わせであり、
前記タイルを、前記凹部に挿着すると、該タイルの上端辺が前記リブの上端辺と一致し、
前記底部を表面側が凸状に反るように変形させて前記タイルを前記凹部から取り外し可能であり、
前記トレイ本体の裏面には、該トレイ本体を起立させるための脚部材を挿着可能とする挿着穴を備えたトレイ。
【考案の効果】
【０００８】
１．本考案は、軟質材からなり、表面に複数の凹部が形成されたトレイ本体と、
硬質材からなり、前記複数の凹部に着脱自在に挿着される複数の小片部材と、を有することを特徴とするため、トレイ表面の形態をパズル感覚で変更して楽しむことができると共に、意匠性に優れている。また、トレイ本体が軟質材からなるため、硬質材からなる小片部材の形状、大きさが多少不均一であっても、軟質材からなるトレイ本体を変形させることで、着脱が可能である。
２．前記凹部が、前記表面に格子状に立設形成されたリブによって升目状に配列されている場合には、トレイ本体全体が強度に優れ、且つ、均一な強度を有することになる。また、整列されていることにより一層の美観を生ずる。
３．前記小片部材が、前記升目状の凹部に係合する直方体形状をなし、該小片部材を前記凹部に挿着させると、該小片部材の上端辺が前記リブの上端辺と一致する場合には、リブに対して小片部材の段差がなくなりトレイとして使用した場合に、その境界部分に引っ掛ることなく使用することができる。
【０００９】
４．前記トレイ本体が、軟質材で一体に形成されている場合には、射出成形等により製造が容易となり、製品コストを下げることができる。
５．前記軟質材が熱可塑性エラストマーである場合には、弾性変形可能で、加工処理が容易であり、多種多様の着色をする上で優れている。
６．前記小片部材それぞれの表面は１色からなり、複数の小片部材の表面の色が２色以上の組み合わせである場合には、トレイ本体表面上に多種多様な図柄を作成して楽しむことができる。
７．前記小片部材が陶磁製のタイルである場合には、焼成物であるため、自然物としての美観を呈することができ、素材の異なるトレイ本体との調和が絶妙な雰囲気を醸し出すことができる。
【００１０】
８．前記トレイ本体の裏面に、該トレイ本体を起立させるための脚部材を挿着可能とする挿着穴を備えている場合には、絵皿のように立設してオブジェとして楽しむことができる。
９．トレイが、表面に格子状に立設形成されたリブによって升目状に配列された複数の凹部を有する底部と、該底部の周縁にめぐらした立上り縁とからなる熱可塑性エラストマー製のトレイ本体と、前記複数の凹部に係合して挿脱自在に挿着される複数の平面視矩形の直方体形状の陶磁製のタイルとを有し、前記タイルそれぞれの表面は１色からなり、複数のタイルの表面の色が２色以上の組み合わせであり、前記タイルを、前記凹部に挿着すると、該タイルの上端辺が前記リブの上端辺と一致し、前記底部を表面側が凸状に反るように変形させて前記タイルを前記凹部から取り外し可能であり、前記トレイ本体の裏面には、該トレイ本体を起立させるための脚部材を挿着可能とする複数の挿着穴を備えている場合には、前記１〜８のすべての効果を生ずる。
【図面の簡単な説明】
【００１１】
【図１】本考案の実施形態に係るトレイの斜視図である。
【図２】本考案の実施形態に係るトレイの（ａ）平面図、（ｂ）底面図である。
【図３】図２（ａ）のＸ−Ｘ断面図である。
【図４】本考案のトレイにおいて、（ａ）タイルをトレイ本体に挿着する状態、（ｂ）タイルをトレイ本体に挿着した状態、（ｃ）タイルをトレイ本体から取り外す状態を示す説明図である。
【図５】本考案のトレイとしての使用状態を示す斜視図である。
【図６】本考案のトレイに脚部材を取り付けて、立設し使用する状態を示す斜視図である。
【考案を実施するための形態】
【００１２】
以下、本考案の実施形態を示す図１〜６を参照しながら本考案を詳しく説明する。
尚、本考案は、かかる図に記載された具体例に示すものに限られず、目的、用途に応じて種々変更したものとすることができる。
【００１３】
実施形態に係るトレイ１は、図１に示すように、軟質材からなり、表面に複数の凹部１１ａが形成されたトレイ本体１０と、硬質材からなり、複数の凹部１１ａに着脱自在に挿着される複数の小片部材２１、２２と、を有する。
前記「トレイ本体」の全体形状は、略平坦な板状体であって、小物を載置可能であれば特に限定はなく、円形、楕円形、長方形、その他の多角形状であってもよい。また、トレイ本体１０のように、底部１１と、該底部１１の周縁にめぐらした立上り縁１５とからなることが好ましい。
【００１４】
トレイ本体は、軟質材からなる。軟質材からなるため、小片部材の形状、大きさが多少不均一であっても、押圧することにより、挿着が可能である。軟質材であれば、特に限定はないが、熱可塑性エラストマーであることが好ましい。
【００１５】
トレイ本体には、その表面に複数の凹部が形成されている。その凹部は、小片部材が挿着できれば特に限定はなく、平面視で円形、矩形状などの多角形状であってもよい。
トレイ本体１０のように、凹部１１ａは、格子状に立設形成されたリブ１３によって升目状に配列されていることが好ましい。こうすることで、トレイ本体１０全体が強度に優れ、且つ、均一な強度を有することになる。また、整列されていることにより一層の美観を生ずる。
【００１６】
前記「小片部材」は、硬質材からなり、前記複数の凹部に着脱自在に挿着される。材質は、硬質材であれば特に限定はなく、陶磁製、樹脂製、ガラス製、金属製、木製などとすることができる。また、凹部に挿脱自在に挿着されれば、特に限定はなく、球状、直方体状などの多角形状であってもよい。また、「挿着」は凹部に隙間なく挿着されることを要せず、隙間を生じてもよい。更に、図４（ａ）に示すように、軟質材の凹部を変形させて押し込むこともできる。
【００１７】
図１に示す小片部材２１、２２は、陶磁製のタイル（以下単に「タイル」という。）である。タイルの表面中央部２２ａは、粘土焼成物としての表情と施釉による光沢から独特の美観を有している。更に表面の周縁部２２ｂに向かってなだらかに薄い色合いとなり、周縁部２２ｂは施釉により滑らかに形成されている。
【００１８】
このようなタイルを凹部１１ａに挿着すると、リブ１３が、あたかも建築資材としてのタイルの施工における目地の外観を呈する。タイルは、焼成品であるため、形状、大きさが均一ではない。建築資材として使用されるタイルとしては、不均一なタイルを接着材で目地を埋め合わせていくが、本考案に係るトレイ本体１０のリブ１３は軟質材であるため、変形することにより、不均一な形態のタイル２１、２２に適合して柔軟に挿着固定することができる。
更に、タイル側面部２２ｃはその面が粗く形成されている場合も多く、軟質材であるリブ１３との摩擦力が大きくなり、挿着固定しやすくなっている。
【００１９】
図３に示すタイル２１Ｂのように、上端辺２１ｂが、リブの上端辺１３ｃと一致していることが好ましい。上端辺同士が一致する場合には、リブに対してタイルの段差がなくなりトレイとして使用した場合に、その境界部分に全く引っ掛ることなく使用することができる。
【００２０】
また、タイル２１Ａのように、その上端辺２１ａが、リブの上端辺１３ｃよりも下方に位置している場合であっても、リブ１３は軟質材であるため、その上端辺１３ｃは、柔らかく滑らかであるため、ほとんど段差を気にすることなく使用できる。
【００２１】
更に、タイル２１Ｃのように、その上端辺２１ｃが、リブの上端辺１３ｃよりも上方に位置している場合であっても、上端辺２１ｃはタイルの施釉により滑らかに形成されており、ほとんど段差を気にすることなく使用できる。
【００２２】
以上のように、タイルの多少の不均一性は、トレイとしての使用にほとんど支障はなく、また、建築資材としてのタイル施工の目地のイメージも損なわれることがない。
更に、トレイ本体１０が樹脂であることにより、自然物と人工物の組み合わせに意外性があり、独特の雰囲気を醸し出すことができる。
【００２３】
ここで、タイル２１Ａ、２１Ｂの場合は、リブの上面より、上端辺２１ａ、２１ｂが突出していないため、一旦挿着すると、そのままでは、取り外しが困難である。しかし、トレイ本体１０が軟質材からなるため、底部１１を図４（ｃ）に示すように、前記表面側が凸状に反るように変形させることにより、タイル２１を取り外すことができる。
【００２４】
図１に示すように、タイル２１、２２は、それぞれの表面が、黒、白の１色からなり、複数のタイルを２色の組み合わせとすることができる。そうすることで、例えば図１に示すように、３箇所の凹部１１ａに、２個の黒色のタイル２１、１個の白色のタイルを挿着することで、図２（ａ）に示すようにアルファベットの文字「Ｅ」を図案化することができる。このように２色のタイルを用いることで、アルファベットのみでなく、マークなど様々な図柄をつくることができる。更に、３色以上のタイルを組み合わせて、図柄のバリエーションを多種多様なものにすることもできる。
【００２５】
タイルをすべての凹部に装着して完成したトレイ１は、図５に示すように、鍵５０、ミニディスクプレイヤー６０などを載置収納することができる。
【００２６】
図２（ｂ）に示すように、トレイ本体１０の底部１１の裏面には、トレイ本体１０を起立させるための脚部材を挿着可能とする挿着穴１２を４個を備えている。挿着穴１２に棒状の脚部材３０を２個挿着することで、図６に示すように、トレイ１を絵皿のように立設してオブジェとして楽しむこともできる。
【符号の説明】
【００２７】
１・・・・・・・・・・・・・トレイ
１０・・・・・・・・・・・・トレイ本体
１１ａ・・・・・・・・・・・凹部
１２・・・・・・・・・・・・挿着穴
１３・・・・・・・・・・・・リブ
１３ｃ・・・・・・・・・・・リブの上端辺
２１、２２・・・・・・・・・小片部材（タイル）
２１ａ、２１ｂ、２１ｃ・・・小片部材の上端辺
３０・・・・・・・・・・・・脚部材
【図１】
0003185410.tif 000003
【図２】
0003185410.tif 000004
【図３】
0003185410.tif 000005
【図４】
0003185410.tif 000006
【図５】
0003185410.tif 000007
【図６】
0003185410.tif 000008